(57)【要約】【課題】白癬菌が感染した部位に拘わらず、治癒に十分な量の水虫治療薬を患部に確実且つ素早く浸透させ、水虫を短期間に完治させる。【解決手段】本発明に係る水虫治療器具１は、表面に多数の人工芝状材４が植設されたプレート２を備え、該プレート２の表面には、人工芝状材４が植設された半球状の突出体５が突設され、プレート２にはブラシが着脱自在に設けられ、該ブラシは、歯ブラシ用の硬さ表示が「かため」の毛が植設された第１ブラシ部を柄の一端部に有すると共に、前記第１ブラシ部の毛より長く且つ植設ピッチが粗く且つ植設本数の少ない毛が植設された第２ブラシ部を前記柄の他端部に有することを特徴とする。【選択図】図１
2013118997.tif 000002
【特許請求の範囲】
【請求項１】
表面に多数の人工芝状材が植設されたプレートを備え、該プレートの表面には、人工芝状材が植設された半球状の突出体が突設されていることを特徴とする水虫治療器具。
【請求項２】
前記プレートは矩形状平面を有し、前記突出体は前記プレートの一入隅部分に設けられ、前記プレートの表面には、前記突出体の対角位置の他の入隅部分にステップ部が設けられ、該ステップ部には、滑り止め防止加工が施されていることを特徴とする請求項１に記載の水虫治療器具。
【請求項３】
前記プレートに着脱自在に設けられるブラシをさらに備えており、該ブラシは、歯ブラシ用の硬さ表示が「かため」の毛が植設された第１ブラシ部を柄の一端部に有すると共に、前記第１ブラシ部の毛より長く且つ植設ピッチが粗く且つ植設本数の少ない毛が植設された第２ブラシ部を前記柄の他端部に有することを特徴とする請求項１又は２に記載の水虫治療器具。
【請求項４】
前記第２ブラシ部は、長さが１１〜１５ｃｍで直径が１．８〜２．２ｍｍの４本のナイロン製の毛の集合体により構成されており、前記４本の毛は平面視で一辺の長さが４〜６ｍｍの菱形の角部にそれぞれ植設されていることを特徴とする請求項３に記載の水虫治療器具。
【発明の詳細な説明】
【技術分野】
【０００１】
本発明は、水虫を治療するために使用する水虫治療器具に関するものである。
【背景技術】
【０００２】
従来、足の裏や指の間や爪の間などの部位に白癬菌が感染することにより発症する水虫を治療するためにいろいろな水虫治療薬が開発されており、これらの水虫治療薬は水虫を発症した患部に直接塗布される（例えば、特許文献１又は２参照）。
【先行技術文献】
【特許文献】
【０００３】
【特許文献１】特開平６−１１６１５２号公報
【特許文献２】特開２００８−２３９６２６号公報
【発明の概要】
【発明が解決しようとする課題】
【０００４】
しかしながら、上記した従来の水虫治療薬は、患部が硬い爪や皮膚の厚い足の裏などの場合、治癒に十分な量の薬が皮膚の奥の患部まで浸透し難いため、水虫がなかなか完治しなかったり、或いは完治するのに長期間を要したりするといった問題がある。
【０００５】
本発明は、上記した課題を解決すべくなされたものであり、白癬菌が感染した部位に拘わらず、治癒に十分な量の水虫治療薬を患部に確実且つ素早く浸透させ、水虫を短期間に完治させることのできる水虫治療器具を提供することを目的とするものである。
【課題を解決するための手段】
【０００６】
上記した目的を達成するため、本発明に係る水虫治療器具は、表面に多数の人工芝状材が植設されたプレートを備え、該プレートの表面には、人工芝状材が植設された半球状の突出体が突設されていることを特徴とする。
【０００７】
また、本発明に係る水虫治療器具において、前記プレートは矩形状平面を有し、前記突出体は前記プレートの一入隅部分に設けられ、前記プレートの表面には、前記突出体の対角位置の他の入隅部分にステップ部が設けられ、該ステップ部には、滑り止め防止加工が施されていることを特徴とする。
【０００８】
さらに、本発明に係る水虫治療器具は、前記プレートに着脱自在に設けられるブラシをさらに備えており、該ブラシは、歯ブラシ用の硬さ表示が「かため」の毛が植設された第１ブラシ部を柄の一端部に有すると共に、前記第１ブラシ部の毛より長く且つ植設ピッチが粗く且つ植設本数の少ない毛が植設された第２ブラシ部を前記柄の他端部に有することを特徴とする。
【０００９】
さらにまた、本発明に係る水虫治療器具において、前記第２ブラシ部は、長さが１１〜１５ｃｍで直径が１．８〜２．２ｍｍの４本のナイロン製の毛の集合体により構成されており、前記４本の毛は平面視で一辺の長さが４〜６ｍｍの菱形の角部にそれぞれ植設されていることを特徴とする。
【発明の効果】
【００１０】
本発明によれば、白癬菌が感染した部位に拘わらず、治癒に十分な量の水虫治療薬を患部に確実且つ素早く浸透させ、水虫を短期間に完治させることができる等、種々の優れた効果を得ることができる。
【図面の簡単な説明】
【００１１】
【図１】本発明の実施の形態に係る水虫治療器具を示す平面図である。
【図２】本発明の実施の形態に係る水虫治療器具を示す側面図である。
【図３】本発明の実施の形態に係る水虫治療器具のブラシを示す側面図である。
【図４】本発明の実施の形態に係る水虫治療器具のブラシの第２ブラシ部を拡大して示す斜視図である。
【図５】本発明の実施の形態に係る水虫治療器具を使用している状態を示す斜視図である。
【図６】本発明の実施の形態に係る水虫治療器具を使用している状態を示す側面図である。
【図７】本発明の実施の形態に係る水虫治療器具のブラシの第１ブラシ部を使用している状態を示す図である。
【図８】本発明の実施の形態に係る水虫治療器具のブラシの第２ブラシ部を使用している状態を示す図である。
【発明を実施するための形態】
【００１２】
以下、図面を参照しつつ、本発明の実施の形態について詳細に説明する。
【００１３】
先ず、図１〜図４により、本実施の形態に係る水虫治療器具の構成について詳細に説明する。ここで、図１は本発明の実施の形態に係る水虫治療器具を示す平面図、図２は本発明の実施の形態に係る水虫治療器具を示す側面図、図３は本発明の実施の形態に係る水虫治療器具のブラシを示す側面図、図４は本発明の実施の形態に係る水虫治療器具のブラシの第２ブラシ部を拡大して示す斜視図である。
【００１４】
本発明の実施の形態に係る水虫治療器具１は、約３０ｃｍ四方の矩形状平面を有するプレート２と、プレート２に着脱自在に設けられるブラシ３と、を備えて構成されている。
【００１５】
プレート２の表面には、人工芝４が密集して植設されており、一入隅部分にテニスボール大の半球状の突出体５が突設され、突出体５の表面には人工芝４が密集して植設されている。
【００１６】
なお、本発明の実施の形態において使用する人工芝４は、例えば、樹脂製で長さが１３ｍｍ、幅が３ｍｍのものであり、上端が丸く加工されており、等間隔でほぼ直立していることが好ましい。
【００１７】
また、プレート２の表面には、突出体５の対角位置の他の入隅部分に円形状のステップ部６が配設されており、ステップ部６の表面には、例えば、円環状に複数の溝７が形成されることにより、滑り止め防止加工が施されている。
【００１８】
プレート２の裏面には、滑り止めのため、四隅にゴム製の脚部８が突設されており、これにより、プレート２を安定性良く支持できるようになっている。
【００１９】
プレート２の一側部には、ブラシ３を収納するための凹部９が形成されており、ブラシ３はこの凹部９に着脱自在となっている。
【００２０】
図３に良く示されているように、ブラシ３は、柄１０と、柄１０の一端部に形成される第１ブラシ部１１と、柄１０の他端部に形成される第２ブラシ部１２と、により構成されている。
【００２１】
柄１０は、例えば金属等の丈夫な材質製であることが好ましく、扁平で細長い直方体形状を成し、１８ｃｍ程度の長さを有している。
【００２２】
第１ブラシ部１１は、多数本のナイロン製の毛１３が柄の１０の一方の面１４に植設されて構成されている。第１ブラシ部１１の毛１３は、ＪＩＳ規格（ＪＩＳＳ３０１６）及び家庭用品品質表示法により規定されている歯ブラシ用の硬さ表示が「かため」のものを使用し、好ましくは、長さが５ｍｍ以下で３〜５ｍｍの範囲に入るように形成されている。
【００２３】
図４に最も良く示されているように、第２ブラシ部１２は、４本のナイロン製の毛１５が柄１０の他方の面１６に植設されて構成されている。第２ブラシ部１２の毛１５は、第１ブラシ部１１の毛１３より長く、好ましくは、長さｈが１１〜１５ｃｍの範囲で、直径ｄが１．８〜２．２ｍｍの範囲に入るように形成されており、より好ましくは、長さｈが１３ｍｍで、直径ｄが２ｍｍとなるように形成されている。また、第２ブラシ部１２の４本の毛１５は、平面視で一辺の長さｐが、好ましくは４〜６ｍｍ、より好ましくは５ｍｍの菱形（図４の二点鎖線参照）の角部にそれぞれ位置するように配置されている。
【００２４】
次に、主に図５及び図６により、上記した構成を備えた本発明の実施の形態に係る水虫治療器具１のプレート２を使用する方法について詳細に説明する。
【００２５】
水虫治療器具１のプレート２表面の平坦な部分１７を使用して足２０の裏の水虫を治療する場合、浴室において、湯船の縁に腰掛けて足２０を組み、水虫治療薬をふやかした足２０の患部に塗布した後、図５に示すように、浴室の床に載置したプレート２の平坦な部分１７に足２０を乗せ、前後左右に動かし、患部を人工芝４に押し当てながら擦り付けてマッサージする。これにより、水虫治療薬の有効成分が足２０の裏の皮膚の奥の患部まで確実且つ素早く浸透するため、水虫を短期間に完治させることができる。
【００２６】
また、土踏まず２１等の凹んだ部位が白癬菌に感染した場合、図６に示すように、突出体５を使用し、土踏まず２１等の患部を突出体５に乗せ、足２０を突出体５に対して踏み込むように動かし、患部を人工芝４に押し当てながら擦り付けてマッサージする。これにより、水虫治療薬の有効成分が皮膚の奥の患部まで確実且つ素早く浸透するため、水虫を短期間に完治させることができる。
【００２７】
なお、プレート２を使用している時、ステップ６部に治療しない反対側の足を乗せ、両手を浴室の壁などにつくことにより、転倒事故を防止することができ、安全性を高めることができる。
【００２８】
このように上記した本発明の実施の形態に係る水虫治療器具１のプレート２を使用することにより、以下の優れた効果を得ることができる。
【００２９】
すなわち、人工芝４は、十分な反発力があり、運動負荷を足２０の裏の皮膚に均一に伝えることができるため、この人工芝４に、ふやかせて水虫薬を塗布した足２０を置き、擦りつけるように動かせば、驚異的なマッサージ効果が起き、それが足２０の裏の皮膚に均一に全体的に伝わるので、水虫治療薬を足２０の裏の皮膚にまんべんなく深く広く染み込ませることができる。
【００３０】
また、人工芝４は、樹脂製であるため、ふやかせて水虫治療薬を塗布し、人工芝４の上に足２０を置いて動かしても、皮膚表面の水分と薬の成分が潤滑油の役割を果たし、非常になめらかなマッサージを行うことができる。
【００３１】
また、人工芝４は、素足で運動をしても皮膚を傷つけない安全設計がなされているため、ふやかせた足２０を、人工芝４の上に押し付けて、強く前後左右に押し付けて動かしても、なかなか裂傷はおきない。したがって、力いっぱいマッサージすることができ、水虫治療薬を容易且つ素早く皮膚の深層まで浸透させることができる。
【００３２】
また、ステップ部６に乗せた治療をしない側の片足を軸にして、水虫を治療する側の足に体重をかけることができると共に、脚力と人工芝４の反発力も加わって、想像を絶する驚異的なマッサージ力が生まれ、このマッサージ力を皮膚に伝えることができる。
【００３３】
また、人工芝４の葉は平たく、しかも長細いので皮膚との接触面積が広く、葉の数は数百本もあり、踏み込むとそれらが交差するため、水虫に侵されている皮膚は、３６０°多重かつ多面的な方向から、驚異的なマッサージ運動を受けることができる。また、葉は柔軟にどの方向にも曲がるので、足の裏の湾曲した皮膚にも簡単且つ確実に密着することができ、治療効果を高めることができる。
【００３４】
次に、主に図７及び図８により、上記した構成を備えた本発明の実施の形態に係る水虫治療器具１のブラシ３を使用する方法について詳細に説明する。
【００３５】
水虫治療器具１のブラシ３を使用して足２０の指の間の水虫を治療する場合、浴室において、椅子に腰掛けて足２０を組み、水虫治療薬をふやかした足２０の患部に塗布した後、図７に示すように、手３０の指で足２０の指を広げて患部の皮膚に張りを持たせた上で、ブラシ３の第１ブラシ部１１の毛１３により患部の皮膚をブラッシングする。これにより、水虫治療薬の有効成分が皮膚の奥の患部まで確実且つ素早く浸透するため、水虫を短期間に完治させることができる。
【００３６】
また、白癬菌の過密な蓄積が原因で患部が肉厚化し、ザクロの実のようにパックリと傷口が開いた場合には、図８に示すように、手３０の指で足２０の指を広げた上で、ブラシ３の第２ブラシ部１２の毛１５により水虫治療薬の有効成分を患部に押し込む。これにより、水虫治療薬の有効成分が皮膚の奥の患部まで確実且つ素早く浸透するため、水虫を短期間に完治させることができる。
【００３７】
このように上記した本発明の実施の形態に係る水虫治療器具１のブラシ３を使用することにより、以下の優れた効果を得ることができる。
【００３８】
すなわち、厚い足の裏の皮膚内に大量の薬を送り届けるには、すさまじい推進力が必要であるが、ブラシ３の第１及び第２ブラシ部１１，１２の毛１３，１５は、ナイロン製で安全で反発力があり、足の曲線に合わせて柔軟にどの方向にも曲がるため、患者が使用時に毛１３，１５が刺さって出血したり、痛みを感じたりすることがなく、水虫治療薬を患部に効率よく送り込むことができる。
【００３９】
また、毛１３，１５はしなやかに歯茎の形状に密着するように開発されている歯ブラシの毛を使用しており、柄１０は弾力性に富み、丈夫で柔軟な素材で作られているため、ブラッシングによって、水虫治療薬の有効成分を皮膚内の患部へ染み込ませ、送り届ける効果を十分に発揮することができる。
【００４０】
また、第１及び第２ブラシ部１１，１２の毛１３，１５は、歯茎と頬の内側の狭い空間に収まり、皮膚を傷つけない安全な構造の歯ブラシの毛を利用しているため、足の指と指の間などの狭い空間で、ブラシ３を皮膚に当てて、縦横無尽に移動させてマッサージする素材としては最適である。
【００４１】
また、ブラシ３の使用時に、足２０を組み、足２０の指を手３０の指で固定し、その反対側の手でブラシ３０を持ち、その手の方向を変えることによって、窪みや凹凸部があって不規則な曲線を描くあらゆる部分の足２０の指の皮膚をマッサージすることができる。
【００４２】
また、第１ブラシ部１１の毛１３の長さが短いため、使用中に毛が真ん中で折れたりすることがない。したがって、ブラッシングする力が半減することなく、直接、皮膚に伝わるため、皮膚の深層の患部へ水虫治療薬の有効成分を有効に浸透させることができる。
【００４３】
また、白癬菌はカビであり、その菌の太さはミクロン級であるため、患部の感染状態によっては、プレート２の人工芝４によるマッサージだけでは、白癬菌が、人工芝４の葉の間を潜り抜け、すべての白癬菌を死滅させることが難しい場合もあるが、そのような場合であっても、ブラシ３を使用することによって、そのミクロンの白癬菌を逃さず死滅させることができる。
【００４４】
また、ブラシ３のナイロン製の毛１３，１４では、「マッサージする力」と「足の指の皮膚がそれを押し返す力」とがほぼ均等となるため、お互いに共鳴し合い、効率の良いマッサージを行うことができる。
【００４５】
このように本発明の実施の形態に係る水虫治療器具１によれば、足の裏等の面積の広い患部や、足の指や指と指の間や爪の間等の面積の狭い患部のいずれに対しても、水虫治療薬の有効成分を皮膚の奥の患部まで確実且つ素早く浸透させることができるため、水虫を短期間に完治させることができる。
【００４６】
なお、上記した本発明の実施の形態の説明では、プレート１０や突出体５の表面に人工芝４を植設しているが、人工芝４の代わりに、この人工芝４に酷似する素材を植設してもよく、特許請求の範囲の記載では、人工芝４とこの人工芝４に酷似する素材とを含める意味で、「人工芝状材」という用語を定義して使用する。
【００４７】
また、上記した本発明の実施の形態の説明は、本発明に係る水虫治療器具１における好適な実施の形態を説明しているため、材質、形状、数量、位置等において、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４８】
１          水虫治療器具
２          プレート
３          ブラシ
４          人工芝（人工芝状材）
【図４】
2013118997.tif 000003
【図１】
2013118997.tif 000004
【図２】
2013118997.tif 000005
【図３】
2013118997.tif 000006
【図５】
2013118997.tif 000007
【図６】
2013118997.tif 000008
【図７】
2013118997.tif 000009
【図８】
2013118997.tif 000010